(57)【要約】【課題】容器の内側に内側収納袋を取付けて、使用後は空になった内側収納袋を取り出して廃棄し、容器だけをリサイクルできる液体収納容器を提供するものである。【解決手段】口部３にキャップ４を着脱自在に取付ける容器１の内側に、軟質プラスチックフィルムで形成され風船状に膨縮自在に形成された内側収納袋２を取付け、この内側収納袋２の上部にノズル５を取付け、このノズル５の外径は容器１の口部内径より小さく形成され、上部に容器１の口部内径より大きいリング状の係止部６が設けられ、このノズル５を容器１の口部３に挿着して、この間に排気通路８を形成すると共に、前記リング状係止部６の側面に排気通路８と連通する排気孔７を開孔し、マヨネーズ１０を使用後は、ノズル５と一体に内側収納袋２を口部３から引き出せるようにしたものである。【選択図】　　図３
2004042928.tif 000002
【特許請求の範囲】
【請求項１】
口部にキャップを着脱自在に取付ける収納容器の内側に、軟質プラスチックフィルムで形成され風船状に膨縮自在に形成された内側収納袋を取付け、この内側収納袋の上部にノズルを取付け、このノズルの外径は収納容器の口部内径より小さく形成され、上部または中間に容器の口部内径より大きいリング状の係止部が設けられ、このノズルを容器の口部に挿着して、この間に排気通路を形成すると共に、前記リング状係止部の側面または容器の口部側面に前記排気通路と連通する排気孔を開孔し、液状の収納物を使用後は、ノズルと一体に内側収納袋を口部から引き出せるようにしたことを特徴とする液体収納容器。
【請求項２】
収納容器の口部に挿着されたノズルの下部が、容器の肩部まで形成されていることを特徴とする請求項１記載の液体収納容器。
【請求項３】
収納容器がプラスチック、ガラスまたは金属で形成されていることを特徴とする請求項１または２記載の液体収納容器。
【発明の詳細な説明】
【０００１】
【発明の属する技術分野】
本発明は外側の容器と内側収納袋との二重構造に形成されたリサイクル可能な液体収納容器に関するものである。
【０００２】
【従来の技術】
包装容器リサイクル法に基づいて、廃プラスチック容器のリサイクルが行なわれている。このリサイクル過程で、飲料水の容器など水洗によって残渣が除去できるものはリサイクルが可能であるが、マヨネーズやケチャップ、サラダ油、ドレッシング類の容器など油脂分や粘着性のある残渣が付着しているものは、リサイクルが不可能である。
【０００３】
また食品残渣の付着した容器に限らず、工業用品残渣や薬品残渣などの残渣が容器に付着しているものもリサイクルが不可能である。このように残渣が付着している容器は、収集してきた段階で分別し、現状では埋め立て処分されている。しかしながら容器リサイクル法が施行され、生産者の回収義務が課せられ、その運用も厳しくなって、埋立て処分や焼却処分ができなくなってきた現状において、水洗いによって除去できない残渣が付着した容器を回収する必要性が高まり、その対策が望まれていた。
【０００４】
【発明が解決しようとする課題】
本発明は上記問題を改善し、容器の内側に内側収納袋を取付けて、使用後は空になった内側収納袋を取り出して廃棄し、容器だけをリサイクルできる液体収納容器を提供するものである。
【０００５】
【課題を解決するための手段】
本発明の請求項１記載の液体収納容器は、口部にキャップを着脱自在に取付ける収納容器の内側に、軟質プラスチックフィルムで形成され風船状に膨縮自在に形成された内側収納袋を取付け、この内側収納袋の上部にノズルを取付け、このノズルの外径は収納容器の口部内径より小さく形成され、上部または中間に容器の口部内径より大きいリング状の係止部が設けられ、このノズルを容器の口部に挿着して、この間に排気通路を形成すると共に、前記リング状係止部の側面または容器の口部側面に前記排気通路と連通する排気孔を開孔し、液状の収納物を使用後は、ノズルと一体に内側収納袋を口部から引き出せるようにしたことを特徴とする。
【０００６】
本発明の請求項２記載の液体収納容器は、収納容器の口部に挿着されたノズルの下部が、容器の肩部まで形成されていることを特徴とするものである。更に請求項３記載の液体収納容器は、収納容器がプラスチック、ガラスまたは金属で形成されていることを特徴とするものである。
【０００７】
【発明の実施の形態】
以下本発明の実施の一形態を図１ないし図４を参照して詳細に説明する。図において１はマヨネーズの容器を示すもので、この内側に内側収納袋２が取付けられている。この内側収納袋２は容器１の口部３に取付けたキャップ４Ａ、４Ｂを取り外して、図２に示すように口部３から挿入できるようになっている。
【０００８】
前記内側収納袋２は、ポリエチレンフィルムなどの軟質プラスチックフィルムで風船状に膨縮自在に形成され、その上部開口部に硬質のプラスチックで形成された円筒状のノズル５が接続されている。このノズル５はその外径が図３に示すように、容器１の口部３の内径より小さく形成され、上部に容器１の口部３の内径より大きいリング状の係止部６が設けられている。
【０００９】
また円筒状のノズル５はその下部が、容器１の肩部９まで達するように長く形成されている。また係止部６の側面には、複数の排気孔７が開孔され、この円筒状のノズル５と容器１の口部３の内壁との間には排気通路８が形成されて、ここと前記排気孔７が連通して、容器１内の空気を外部に排出するようになっている。またキャップ４Ａは図４に示すように、その上部に前記ノズル５と連通するノズル１６が一体に突設され、ここにキャップ４Ｂが取付けらるようになっている。
【００１０】
上記構成のマヨネーズの容器１は、図２に示すように先ず内側収納袋２を収縮させた状態で容器１の口部３から内側に挿入し、ノズル５に取付けた係止部６が図３に示すように口部３の上部に係止して、ノズル５が口部３の内側に支持され、これと口部３の内壁との間に排気通路８が形成される。
【００１１】
このようにマヨネーズの容器１に内側収納袋２を設けた二重構造に形成した状態で、ノズル５の係止部６を支持する。この後、ノズル５を通して内側収納袋２内にマヨネーズ１０を注入する。マヨネーズ１０を注入していくと、収縮していた内側収納袋２が風船状に膨張してくる。この時、内側収納袋２と容器１との間に残留していた空気が、排気通路８を通して、係止部６に開孔した排気孔７から外部に排出され、速やかにマヨネーズ１０を封入することができる。
【００１２】
また円筒状のノズル５はその下部が、容器１の肩部９まで達するように長く形成されているので、マヨネーズ１０を注入する時に、内側収納袋２が膨張しても肩部９の内側に排気通路８を確保して速やかに排気することができる。なおこの場合、ノズル５が短いと、マヨネーズ１０を封入していく過程で、内側収納袋２が膨張して肩部９の内側に密着して、排気通路８の入口部分が塞がれるので内部の空気が排気できずマヨネーズ１０を注入することができなくなる。このようにしてマヨネーズ１０を所定量注入したら、図４に示すようにキャップ４Ａを被せてから、密閉シール１１をノズル部１６に取付けて内部を密閉し、最後にキャップ４Ｂを被せて密封し、透明なプラスチック袋に入れて出荷する。
【００１３】
使用する時には、キャップ４Ｂを外してから、密閉シール１１を剥がし、軟質のプラスチックで形成したマヨネーズの容器１を手で絞ると、粘性のあるマヨネーズ１０がノズル部１６から絞り出される。このようにして、マヨネーズ１０を全部使用して空になったら、キャップ４Ａ、４Ｂを外し、係止部６を持ってノズル５を口部３から引き出すと、図２に示すように内側収納袋２が細く絞られながら引き出される。また内側収納袋２を引き出した状態でしごけばマヨネーズ１０をほぼ完全に使用することができる。
【００１４】
内側収納袋２にはマヨネーズ１０の残渣が僅かに付着しているが、これはそのまま生活系の燃えるゴミとして一般の生ゴミと一緒に処分することができる。この場合、廃棄量としては従来の１０分の１程度である。また内側収納袋２を引出した後の容器１は回収されて、メーカーで再び内側収納袋２を挿着して再利用するか、もしくはプラスチック原料として再利用することができる。このため、残渣が除去できず埋め立てや焼却されていたマヨネーズの容器１のリサイクルが可能となる。
【００１５】
図５は本発明の他の実施の形態を示すもので、ノズル５の上部に容器１の口部３の内径より大きいリング状の係止部６を一体に設けた点は図３と同様であるが、この外周に排気孔７が設けられておらず、排気孔７は容器１の口部３の近傍に開孔されているものである。
【００１６】
この構造も、マヨネーズ１０を注入していくと、収縮していた内側収納袋２が風船状に膨張し、内側収納袋２と容器１との間に残留していた空気が、排気通路８を通して、口部３に開孔した排気孔７から外部に排出され、速やかにマヨネーズ１０を封入することができる。
【００１７】
また従来のマヨネーズの容器１は、絞り出して使用するため軟質のプラスチックで形成され、ここに商品名や商標、メーカー名などを印刷したラベルを貼付できないので、キャップ４を取付けた容器１を、商品名や商標、メーカー名などを印刷した図示しない包装用のプラスチック袋に入れて出荷している。このため、この包装用のプラスチック袋も廃棄物となっていたが、本発明では内側収納袋２に印刷することにより、容器１を通して表示することができ、包装用のプラスチック袋を不要にすることができると共に、各メーカーが共通して容器１を再利用することができる。
【００１８】
図６は本発明の他の実施の形態を示すもので、ノズル５は、キャップ４Ａから突出させて長く形成し、この先端側を、外径が順次縮小するテーパー状に形成したものである。更にノズル５の中間には係止部６が突設され、この外周に排気孔７が開孔されている。またキャップ４Ｃはサック状に形成され、連結片１７でキャップ４Ａに連結されて一体に成形されている。これはサック状のキャップ４Ｃをノズル５の先端に被せるだけで密閉することができる。またキャップ４Ａとキャップ４Ｃは連結片１７で連結されているので紛失することがない。
【００１９】
なお上記説明ではマヨネーズの容器１に適用した場合について示したが、ケチャップなどの、軟質の容器から絞り出して使用する調味料の収納容器に好適である。また容器から絞り出して使用するものに限らず、ドレッシングやサラダ油などの調味料や、液状洗剤、シャンプー、リンスなどにも適用することができる。
【００２０】
図７は本発明の異なる他の実施の形態を示すもので、エンジンオイルの金属製収納缶１３に適用した場合で、この金属リング１４を嵌めた口部３にノズル５を挿着したものである。このノズル５の外周には、複数枚のストッパー１８が放射状に突設され、その外径が金属リング１４の内径と同じに形成されている。ノズル５を金属リング１４に押し込むと、ストッパー１８で金属リング１４に固定される。またこの場合、内側収納袋２は中空直方体状に形成されている。また１５は金属リング１４に弾性的に着脱自在に取付けたキャップである。
【００２１】
従って、この構造は収納缶１３が金属で形成されているので、軟質のプラスチックで形成したマヨネーズの容器のように手で押して変形させないので、キャップを二重に取付けなくても、ストッパー１８で固定され、ノズル５が使用中に抜け出すことがない。また使用後は、ノズル５を強く引っ張ることにより内側収納袋２を引き出すことができる。またエンジンオイルだけでなく、グリースや潤滑油などの各種油類の金属製収納缶１３に適用することができる。
【００２２】
また上記説明では収納容器としてプラスチックと金属の場合について示したが、ガラス製の収納容器にも適用することができる。更に液体収納物として、接着剤や塗料、コーキング剤など工業用や化学用、あるいは薬品などの収納容器として幅広く使用することができる。
【００２３】
【発明の効果】
以上説明した如く本発明に係る請求項１記載の液体収納容器によれば、収納容器の内側に、軟質プラスチックフィルムで風船状に膨縮自在に形成された内側収納袋を取付け、この内側収納袋の上部にノズルを取付け、このノズルを容器の口部に挿着して、この間に排気通路を形成すると共に、前記リング状係止部の側面または容器の口部側面に前記排気通路と連通する排気孔を開孔したので、使用後は、空になった内側収納袋を取り出して廃棄し、容器だけをリサイクルすることができる。
【００２４】
また請求項２記載の液体収納容器によれば、収納容器の口部に挿着されたノズルの下部が、容器の肩部まで形成されているので、収納物を注入する時、内側収納袋が膨張しても肩部の内側に排気通路を確保して速やかに排気することができる。
【００２５】
また請求項３記載の液体収納容器によれば、収納容器がプラスチック、ガラスまたは金属で形成されているので、多くの材質で構成された収納容器に適用することができる。
【図面の簡単な説明】
【図１】本発明の実施の一形態によるマヨネーズ容器を示す正面図である。
【図２】図１のマヨネーズ容器に内側収納袋を挿入している状態を示す正面図である。
【図３】図１のマヨネーズ容器の口部を拡大して示す断面図である。
【図４】図３のマヨネーズ容器の口部にキャップを取付けた状態を拡大して示す断面図である。
【図５】本発明の他の実施の形態による口部に排気孔を開口した断面図である。
【図６】本発明の他の実施の形態によるノズルを長く形成した口部の断面図である。
【図７】本発明の異なる他の実施の形態によるエンジンオイルの金属製収納缶の口部を示す断面図である。
【符号の説明】
１　　　　マヨネーズ容器
２　　　　内側収納袋
３　　　　口部
４　　　　キャップ
５　　　　ノズル
６　　　　係止部
７　　　　排気孔
８　　　　排気通路
９　　　　肩部
１０　　マヨネーズ
１１　　密閉シール
１３　　収納缶
１４　　金属リング
１５　　キャップ
１６　　ノズル部
１７　　連結片
【図１】
2004042928.tif 000003
【図２】
2004042928.tif 000004
【図３】
2004042928.tif 000005
【図４】
2004042928.tif 000006
【図５】
2004042928.tif 000007
【図６】
2004042928.tif 000008
【図７】
2004042928.tif 000009